(57)【特許請求の範囲】
【請求項１】
Ｌ（左）チャンネルの音声信号およびＲ（右）チャンネルの音声信号を入力してミキシングし、上記ＬチャンネルとＷＦ（ウーハ）チャンネルとの混合信号および上記Ｒチャンネルと上記ＷＦチャンネルとの混合信号を生成するミキシング部と、
上記ミキシング部により生成された上記Ｌチャンネルと上記ＷＦチャンネルとの混合信号を増幅するＬチャンネル用パワーアンプと、
上記ミキシング部により生成された上記Ｒチャンネルと上記ＷＦチャンネルとの混合信号を増幅するＲチャンネル用パワーアンプと、
上記Ｌチャンネル用パワーアンプの出力に接続されたＬチャンネル用スピーカと、
上記Ｒチャンネル用パワーアンプの出力に接続されたＲチャンネル用スピーカと、
上記Ｌチャンネル用パワーアンプの出力および上記Ｒチャンネル用パワーアンプの出力にブリッジ接続されたＷＦチャンネル用スピーカとを備え、
上記Ｌチャンネルの音声信号には車両の前座席用および後座席用の２つの音声信号が含まれ、上記Ｒチャンネルの音声信号には上記前座席用および上記後座席用の２つの音声信号が含まれ、
上記Ｌチャンネル用パワーアンプは、上記前座席用のＬチャンネル用パワーアンプと上記後座席用のＬチャンネル用パワーアンプとを含み、
上記Ｒチャンネル用パワーアンプは、上記前座席用のＲチャンネル用パワーアンプと上記後座席用のＲチャンネル用パワーアンプとを含み、
上記Ｌチャンネル用スピーカは、上記前座席用のＬチャンネル用スピーカと上記後座席用のＬチャンネル用スピーカとを含み、
上記Ｒチャンネル用スピーカは、上記前座席用のＲチャンネル用スピーカと上記後座席用のＲチャンネル用スピーカとを含み、
上記ＷＦチャンネル用スピーカは、上記前座席用のＷＦチャンネル用スピーカと上記後座席用のＷＦチャンネル用スピーカとを含み、
上記ミキシング部は、入力される上記Ｌチャンネルの音声信号から上記前座席用および上記後座席用の２つの音声信号を生成するとともに、入力される上記Ｒチャンネルの音声信号から上記前座席用および上記後座席用の２つの音声信号を生成するように成され、
上記ミキシング部はさらに、入力される上記Ｌチャンネルの音声信号と上記Ｒチャンネルの音声信号とを加算して上記ＷＦチャンネルの音声信号を生成する第１の加算部と、
上記第１の加算部により生成されたＷＦチャンネルの音声信号の低周波成分のみを通過させるＷＦチャンネル用ローパスフィルタと、
上記ＷＦチャンネル用ローパスフィルタを通過した上記ＷＦチャンネルの音声信号の位相を反転する位相反転部と、
上記前座席用のＬチャンネルの音声信号と上記ＷＦチャンネル用ローパスフィルタを通過した上記ＷＦチャンネルの音声信号とを加算することにより、上記前座席用のＬチャンネルと上記ＷＦチャンネルとの混合信号であるＦＬ＋ＷＦ信号を生成する第２の加算部と、
上記前座席用のＲチャンネルの音声信号と上記位相反転部により位相が反転された上記ＷＦチャンネルの音声信号とを加算することにより、上記前座席用のＲチャンネルと上記ＷＦチャンネルとの混合信号であるＦＲ−ＷＦ信号を生成する第３の加算部と、
上記後座席用のＬチャンネルの音声信号と上記ＷＦチャンネル用ローパスフィルタを通過した上記ＷＦチャンネルの音声信号とを加算することにより、上記後座席用のＬチャンネルと上記ＷＦチャンネルとの混合信号であるＲＬ＋ＷＦ信号を生成する第４の加算部と、
上記後座席用のＲチャンネルの音声信号と上記位相反転部により位相が反転された上記ＷＦチャンネルの音声信号とを加算することにより、上記後座席用のＲチャンネルと上記ＷＦチャンネルとの混合信号であるＲＲ−ＷＦ信号を生成する第５の加算部とを備え、
上記前座席用のＬチャンネル用パワーアンプは、上記第２の加算部により生成された上記ＦＬ＋ＷＦ信号を増幅し、
上記前座席用のＲチャンネル用パワーアンプは、上記第３の加算部により生成された上記ＦＲ−ＷＦ信号を増幅し、
上記後座席用のＬチャンネル用パワーアンプは、上記第４の加算部により生成された上記ＲＬ＋ＷＦ信号を増幅し、
上記後座席用のＲチャンネル用パワーアンプは、上記第５の加算部により生成された上記ＲＲ−ＷＦ信号を増幅し、
上記前座席用のＬチャンネル用パワーアンプにより増幅された上記ＦＬ＋ＷＦ信号が上記前座席用のＷＦチャンネル用スピーカの＋端子に入力され、上記前座席用のＲチャンネル用パワーアンプにより増幅された上記ＦＲ−ＷＦ信号が上記前座席用のＷＦチャンネル用スピーカの−端子に入力され、
上記後座席用のＬチャンネル用パワーアンプにより増幅された上記ＲＬ＋ＷＦ信号が上記後座席用のＷＦチャンネル用スピーカの＋端子に入力され、上記後座席用のＲチャンネル用パワーアンプにより増幅された上記ＲＲ−ＷＦ信号が上記後座席用のＷＦチャンネル用スピーカの−端子に入力されるように構成したことを特徴とする音声出力装置。
【請求項２】
上記第２の加算部に入力される上記前座席用のＬチャンネルの音声信号の高周波成分のみを通過させる前座席用のＬチャンネル用ハイパスフィルタと、
上記第３の加算部に入力される上記前座席用のＲチャンネルの音声信号の高周波成分のみを通過させる前座席用のＲチャンネル用ハイパスフィルタと、
上記第４の加算部に入力される上記後後席用のＬチャンネルの音声信号の高周波成分のみを通過させる後座席用のＬチャンネル用ハイパスフィルタと、
上記第５の加算部に入力される上記後座席用のＲチャンネルの音声信号の高周波成分のみを通過させる後座席用のＲチャンネル用ハイパスフィルタとを更に備え、
上記第２の加算部は、上記前座席用のＬチャンネル用ハイパスフィルタを通過した上記前座席用のＬチャンネルの音声信号と上記ＷＦチャンネル用ローパスフィルタを通過した上記ＷＦチャンネルの音声信号とを加算することにより上記ＦＬ＋ＷＦ信号を生成し、
上記第３の加算部は、上記前座席用のＲチャンネル用ハイパスフィルタを通過した上記前座席用のＲチャンネルの音声信号と上記位相反転部により位相が反転された上記ＷＦチャンネルの音声信号とを加算することにより上記ＦＲ−ＷＦ信号を生成し、
上記第４の加算部は、上記後座席用のＬチャンネル用ハイパスフィルタを通過した上記後座席用のＬチャンネルの音声信号と上記ＷＦチャンネル用ローパスフィルタを通過した上記ＷＦチャンネルの音声信号とを加算することにより上記ＲＬ＋ＷＦ信号を生成し、
上記第５の加算部は、上記後座席用のＲチャンネル用ハイパスフィルタを通過した上記後座席用のＲチャンネルの音声信号と上記位相反転部により位相が反転された上記ＷＦチャンネルの音声信号とを加算することにより上記ＲＲ−ＷＦ信号を生成することを特徴とする請求項１に記載の音声出力装置。
【請求項３】
Ｌ（左）チャンネルの音声信号およびＲ（右）チャンネルの音声信号を入力してミキシングし、上記ＬチャンネルとＷＦ（ウーハ）チャンネルとの混合信号および上記Ｒチャンネルと上記ＷＦチャンネルとの混合信号を生成するミキシング部と、
上記ミキシング部により生成された上記Ｌチャンネルと上記ＷＦチャンネルとの混合信号を増幅するＬチャンネル用パワーアンプと、
上記ミキシング部により生成された上記Ｒチャンネルと上記ＷＦチャンネルとの混合信号を増幅するＲチャンネル用パワーアンプと、
上記Ｌチャンネル用パワーアンプの出力に接続されたＬチャンネル用スピーカと、
上記Ｒチャンネル用パワーアンプの出力に接続されたＲチャンネル用スピーカと、
上記Ｌチャンネル用パワーアンプの出力および上記Ｒチャンネル用パワーアンプの出力にブリッジ接続されたＷＦチャンネル用スピーカとを備え、
上記Ｌチャンネルの音声信号には車両の前座席用および後座席用の２つの音声信号が含まれ、上記Ｒチャンネルの音声信号には上記前座席用および上記後座席用の２つの音声信号が含まれ、
上記Ｌチャンネル用パワーアンプは、上記前座席用のＬチャンネル用パワーアンプと上記後座席用のＬチャンネル用パワーアンプとを含み、
上記Ｒチャンネル用パワーアンプは、上記前座席用のＲチャンネル用パワーアンプと上記後座席用のＲチャンネル用パワーアンプとを含み、
上記Ｌチャンネル用スピーカは、上記前座席用のＬチャンネル用スピーカと上記後座席用のＬチャンネル用スピーカとを含み、
上記Ｒチャンネル用スピーカは、上記前座席用のＲチャンネル用スピーカと上記後座席用のＲチャンネル用スピーカとを含み、
上記ＷＦチャンネル用スピーカは、上記前座席用のＷＦチャンネル用スピーカと上記後座席用のＷＦチャンネル用スピーカとを含み、
上記ミキシング部は、入力される上記Ｌチャンネルの音声信号から上記前座席用および上記後座席用の２つの音声信号を生成するとともに、入力される上記Ｒチャンネルの音声信号から上記前座席用および上記後座席用の２つの音声信号を生成するように成され、
上記ミキシング部はさらに、入力される上記Ｌチャンネルの音声信号と上記Ｒチャンネルの音声信号とを加算して上記ＷＦチャンネルの音声信号を生成する第１の加算部と、
上記第１の加算部により生成されたＷＦチャンネルの音声信号の低周波成分のみを通過させるＷＦチャンネル用ローパスフィルタと、
上記ＷＦチャンネル用ローパスフィルタを通過した上記ＷＦチャンネルの音声信号の位相を反転する位相反転部と、
上記前座席用のＬチャンネルの音声信号と上記位相反転部により位相が反転された上記ＷＦチャンネルの音声信号とを加算することにより、上記前座席用のＬチャンネルと上記ＷＦチャンネルとの混合信号であるＦＬ−ＷＦ信号を生成する第２の加算部と、
上記前座席用のＲチャンネルの音声信号と上記ＷＦチャンネル用ローパスフィルタを通過した上記ＷＦチャンネルの音声信号とを加算することにより、上記前座席用のＲチャンネルと上記ＷＦチャンネルとの混合信号であるＦＲ＋ＷＦ信号を生成する第３の加算部と、
上記後座席用のＬチャンネルの音声信号と上記位相反転部により位相が反転された上記ＷＦチャンネルの音声信号とを加算することにより、上記後座席用のＬチャンネルと上記ＷＦチャンネルとの混合信号であるＲＬ−ＷＦ信号を生成する第４の加算部と、
上記後座席用のＲチャンネルの音声信号と上記ＷＦチャンネル用ローパスフィルタを通過した上記ＷＦチャンネルの音声信号とを加算することにより、上記後座席用のＲチャンネルと上記ＷＦチャンネルとの混合信号であるＲＲ＋ＷＦ信号を生成する第５の加算部とを備え、
上記前座席用のＬチャンネル用パワーアンプは、上記第２の加算部により生成された上記ＦＬ−ＷＦ信号を増幅し、
上記前座席用のＲチャンネル用パワーアンプは、上記第３の加算部により生成された上記ＦＲ＋ＷＦ信号を増幅し、
上記後座席用のＬチャンネル用パワーアンプは、上記第４の加算部により生成された上記ＲＬ−ＷＦ信号を増幅し、
上記後座席用のＲチャンネル用パワーアンプは、上記第５の加算部により生成された上記ＲＲ＋ＷＦ信号を増幅し、
上記前座席用のＬチャンネル用パワーアンプにより増幅された上記ＦＬ−ＷＦ信号が上記前座席用のＷＦチャンネル用スピーカの−端子に入力され、上記前座席用のＲチャンネル用パワーアンプにより増幅された上記ＦＲ＋ＷＦ信号が上記前座席用のＷＦチャンネル用スピーカの＋端子に入力され、
上記後座席用のＬチャンネル用パワーアンプにより増幅された上記ＲＬ−ＷＦ信号が上記後座席用のＷＦチャンネル用スピーカの−端子に入力され、上記後座席用のＲチャンネル用パワーアンプにより増幅された上記ＲＲ＋ＷＦ信号が上記後座席用のＷＦチャンネル用スピーカの＋端子に入力されるように構成したことを特徴とする音声出力装置。
【請求項４】
上記第２の加算部に入力される上記前座席用のＬチャンネルの音声信号の高周波成分のみを通過させる前座席用のＬチャンネル用ハイパスフィルタと、
上記第３の加算部に入力される上記前座席用のＲチャンネルの音声信号の高周波成分のみを通過させる前座席用のＲチャンネル用ハイパスフィルタと、
上記第４の加算部に入力される上記後座席用のＬチャンネルの音声信号の高周波成分のみを通過させる後座席用のＬチャンネル用ハイパスフィルタと、
上記第５の加算部に入力される上記後座席用のＲチャンネルの音声信号の高周波成分のみを通過させる後座席用のＲチャンネル用ハイパスフィルタとを更に備え、
上記第２の加算部は、上記前座席用のＬチャンネル用ハイパスフィルタを通過した上記前座席用のＬチャンネルの音声信号と上記位相反転部により位相が反転された上記ＷＦチャンネルの音声信号とを加算することにより上記ＦＬ−ＷＦ信号を生成し、
上記第３の加算部は、上記前座席用のＲチャンネル用ハイパスフィルタを通過した上記前座席用のＲチャンネルの音声信号と上記ＷＦチャンネル用ローパスフィルタを通過した上記ＷＦチャンネルの音声信号とを加算することにより上記ＦＲ＋ＷＦ信号を生成し、
上記第４の加算部は、上記後座席用のＬチャンネル用ハイパスフィルタを通過した上記後座席用のＬチャンネルの音声信号と上記位相反転部により位相が反転された上記ＷＦチャンネルの音声信号とを加算することにより上記ＲＬ−ＷＦ信号を生成し、
上記第５の加算部は、上記後座席用のＲチャンネル用ハイパスフィルタを通過した上記後座席用のＲチャンネルの音声信号と上記ＷＦチャンネル用ローパスフィルタを通過した上記ＷＦチャンネルの音声信号とを加算することにより上記ＲＲ＋ＷＦ信号を生成することを特徴とする請求項３に記載の音声出力装置。
【発明の詳細な説明】
【技術分野】
【０００１】
本発明は音声出力装置に関し、特に、ステレオアンプの２つの出力をブリッジ接続してモノラル出力を得る機能を備えた音声出力装置に用いて好適なものである。
【背景技術】
【０００２】
従来、ＢＴＬ（Bridged Transless）接続を用いた音声出力装置が提供されている（例えば、特許文献１〜３参照）。ＢＴＬ接続とは、ステレオアンプの２つの出力（ＬチャンネルおよびＲチャンネルの出力）をブリッジ接続してモノラル出力（Ｌ＋Ｒチャンネルの出力）を得るようにした方式である。
【０００３】
ＢＴＬ接続を用いると、ＢＴＬ接続を用いない場合の２つのステレオ出力に比べて、モノラル出力の電圧を２倍に高めることができる。また、２チャンネルのステレオアンプのみで、Ｌチャンネル、Ｒチャンネル、Ｌ＋Ｒチャンネルの３チャンネルの出力を得ることもできる。
【０００４】
図７は、ＢＴＬ接続を用いた従来の音声出力装置の構成例を示す図である。図７に示すように、ＢＴＬ接続の音声出力装置は、Ｌチャンネル用のパワーアンプ１０１、反転バッファ１０２、Ｒチャンネル用のパワーアンプ１０３、Ｌチャンネル用のスピーカ１０４、Ｒチャンネル用のスピーカ１０５に加えて、ローパスフィルタ（ＬＰＦ）１０６およびＬ＋Ｒチャンネル用のスピーカ（低音専用のウーハスピーカ）１０７を備えて構成されている。
【０００５】
Ｌチャンネル用のパワーアンプ１０１は、Ｌチャンネルの音声信号（Ｌ信号と記す）を入力して増幅し、正相出力端子および逆相出力端子のそれぞれから、増幅された音声信号（Ｌ信号、−Ｌ信号）を出力する。なお、“−”の記号は位相が反転していることを示す。Ｌチャンネル用のパワーアンプ１０１から出力されたＬ信号は、Ｌチャンネル用のスピーカ１０４の＋端子に入力されるとともにＬＰＦ１０６に入力される。また、Ｌチャンネル用のパワーアンプ１０１から出力された−Ｌ信号は、Ｌチャンネル用のスピーカ１０４の−端子に入力される。これにより、Ｌチャンネル用のスピーカ１０４から２倍の電圧のＬ信号（２Ｌ信号）が出力される。
【０００６】
反転バッファ１０２は、Ｒチャンネルの音声信号（以下、Ｒ信号と記す）の位相を反転してＲチャンネル用のパワーアンプ１０３に出力する。Ｒチャンネル用のパワーアンプ１０３は、反転バッファ１０２から出力された−Ｒ信号を増幅し、正相出力端子および逆相出力端子のそれぞれから、増幅された音声信号（−Ｒ信号、Ｒ信号）を出力する。−Ｒ信号は、Ｒチャンネル用のスピーカ１０５の−端子に入力されるとともにＬＰＦ１０６に入力される。また、Ｒ信号は、Ｒチャンネル用のスピーカ１０４の＋端子に入力される。これにより、Ｒチャンネル用のスピーカ１０５から２倍の電圧のＲ信号（２Ｒ信号）が出力される。
【０００７】
ＬＰＦ１０６は、Ｌチャンネル用のパワーアンプ１０１から出力されたＬ信号およびＲチャンネル用のパワーアンプ１０３から出力された−Ｒ信号の低周波成分のみを通過させる。ＬＰＦ１０６を通過した低周波成分のＬ信号は、ウーハスピーカ１０７の＋端子に入力される。また、ＬＰＦ１０６を通過した低周波成分の−Ｒ信号は、ウーハスピーカ１０７の−端子に入力される。これにより、ウーハスピーカ１０７からＬ＋Ｒ信号が出力される。
【先行技術文献】
【特許文献】
【０００８】
【特許文献１】実開昭５９−１９５８９７号公報
【特許文献２】特開平５−１９９５９４号公報
【特許文献３】特開２０００−３４５０９９号公報
【発明の概要】
【発明が解決しようとする課題】
【０００９】
上記従来の音声出力装置は、センター位置に定位するＬ＋Ｒ成分の音声信号（つまり、ボーカル音やベース音など、低周波領域のＬ成分と低周波領域のＲ成分とが略同じ強度とされた同相の音声信号）を生成するために、パッシブ型のＬＰＦ１０６を設けなければならなかった。このＬＰＦ１０６は、２つのパワーアンプ１０１，１０３によって増幅された後の音声信号を処理する必要があるため、受動素子を用いたアナログ回路としての回路面積が大きくなる。そのため、音声出力装置の製造コストが増加してしまうという問題があった。
【００１０】
本発明は、このような問題を解決するために成されたものであり、ＢＴＬ接続の音声出力装置において、ウーハ用の音声信号を生成するのにパッシブ型のＬＰＦを不要とすることによって製造コストを低減できるようにすることを目的とする。
【課題を解決するための手段】
【００１１】
上記した課題を解決するために、本発明の音声出力装置では、Ｌ（左）チャンネルの音声信号とＲ（右）チャンネルの音声信号とをミキシングすることによって、ＬチャンネルとＷＦ（ウーハ）チャンネルとの混合信号およびＲチャンネルとＷＦチャンネルとの混合信号を生成するミキシング部と、ＬチャンネルとＷＦチャンネルとの混合信号を増幅するＬチャンネル用パワーアンプと、ＲチャンネルとＷＦチャンネルとの混合信号を増幅するＲチャンネル用パワーアンプとを備える。そして、Ｌチャンネル用パワーアンプの出力およびＲチャンネル用パワーアンプの出力をＷＦチャンネル用スピーカに対してブリッジ接続するようにしている。
ここで、音声信号には車両の前座席用および後座席用の２つの音声信号が含まれ、パワーアンプは前座席用および後座席用のパワーアンプを含み、スピーカは前座席用および後座席用のスピーカを含み、
ミキシング部は、入力される音声信号から前座席用および後座席用の２つの音声信号を生成するように成され、
ミキシング部はさらに、入力されるＬチャンネルの音声信号とＲチャンネルの音声信号とを加算してＷＦチャンネルの音声信号を生成する第１の加算部と、第１の加算部により生成されたＷＦチャンネルの音声信号の低周波成分のみを通過させるＷＦチャンネル用ローパスフィルタと、ＷＦチャンネル用ローパスフィルタを通過したＷＦチャンネルの音声信号の位相を反転する位相反転部と、前座席用のＬチャンネルの音声信号とＷＦチャンネル用ローパスフィルタを通過したＷＦチャンネルの音声信号とを加算することにより、前座席用のＬチャンネルとＷＦチャンネルとの混合信号であるＦＬ＋ＷＦ信号を生成する第２の加算部と、前座席用のＲチャンネルの音声信号と位相反転部により位相が反転されたＷＦチャンネルの音声信号とを加算することにより、前座席用のＲチャンネルとＷＦチャンネルとの混合信号であるＦＲ−ＷＦ信号を生成する第３の加算部と、後座席用のＬチャンネルの音声信号とＷＦチャンネル用ローパスフィルタを通過したＷＦチャンネルの音声信号とを加算することにより、後座席用のＬチャンネルとＷＦチャンネルとの混合信号であるＲＬ＋ＷＦ信号を生成する第４の加算部と、後座席用のＲチャンネルの音声信号と位相反転部により位相が反転されたＷＦチャンネルの音声信号とを加算することにより、後座席用のＲチャンネルとＷＦチャンネルとの混合信号であるＲＲ−ＷＦ信号を生成する第５の加算部とを備え、
前座席用のＬチャンネル用パワーアンプは、第２の加算部により生成されたＦＬ＋ＷＦ信号を増幅し、前座席用のＲチャンネル用パワーアンプは、第３の加算部により生成されたＦＲ−ＷＦ信号を増幅し、後座席用のＬチャンネル用パワーアンプは、第４の加算部により生成されたＲＬ＋ＷＦ信号を増幅し、後座席用のＲチャンネル用パワーアンプは、第５の加算部により生成されたＲＲ−ＷＦ信号を増幅し、
前座席用のＬチャンネル用パワーアンプにより増幅されたＦＬ＋ＷＦ信号が前座席用のＷＦチャンネル用スピーカの＋端子に入力され、前座席用のＲチャンネル用パワーアンプにより増幅されたＦＲ−ＷＦ信号が前座席用のＷＦチャンネル用スピーカの−端子に入力され、後座席用のＬチャンネル用パワーアンプにより増幅されたＲＬ＋ＷＦ信号が後座席用のＷＦチャンネル用スピーカの＋端子に入力され、後座席用のＲチャンネル用パワーアンプにより増幅されたＲＲ−ＷＦ信号が後座席用のＷＦチャンネル用スピーカの−端子に入力されるように構成している。
【発明の効果】
【００１２】
上記のように構成した本発明によれば、パワーアンプよりも前段に設けられたミキシング部によってＷＦチャンネルの音声信号が生成されるので、パワーアンプの後段（ＷＦチャンネル用スピーカの前段）に必要であったパッシブ型のローパスフィルタをなくすことができる。パッシブ型のローパスフィルタの代わりにミキシング部が設けられる形となるが、パワーアンプによって増幅された後のアナログ音声信号を処理するために受動素子により構成した従来のパッシブ型のローパスフィルタに比べて、ミキシング部は低コストで構成することができる。これにより、本発明によれば、ブリッジ接続を用いた音声出力装置において、ウーハ用の音声信号を生成するのにパッシブ型のローパスフィルタを不要とすることによって製造コストを低減することができる。
【図面の簡単な説明】
【００１３】
【図１】本実施形態による音声出力装置の構成例を示す図である。
【図２】本実施形態による音声出力装置の他の構成例を示す図である。
【図３】本実施形態による音声出力装置の更に別の構成例を示す図である。
【図４】図１の変形例に係る音声出力装置の構成例を示す図である。
【図５】図２の変形例に係る音声出力装置の構成例を示す図である。
【図６】図３の変形例に係る音声出力装置の構成例を示す図である。
【図７】従来の音声出力装置の構成例を示す図である。
【発明を実施するための形態】
【００１４】
以下、本発明の一実施形態を図面に基づいて説明する。図１は、本実施形態による音声出力装置の構成例を示す図である。図１に示すように、本実施形態の音声出力装置は、ミキシング部１０、Ｌチャンネル用Ｄ／Ａ変換部２、Ｒチャンネル用Ｄ／Ａ変換部３、Ｌチャンネル用パワーアンプ４、Ｒチャンネル用パワーアンプ５、Ｌチャンネル用スピーカ６、Ｒチャンネル用スピーカ７およびＷＦチャンネル用スピーカ８を備えて構成されている。
【００１５】
ミキシング部１０は、例えばＤＳＰ（Digital Signal Processor）により構成され、その機能構成として、第１の加算部１１、ＷＦチャンネル用ＬＰＦ１２、位相反転部１３、第２の加算部１４および第３の加算部１５を備えている。このミキシング部１０は、Ｌ（左）チャンネルの音声信号（以下、Ｌ信号と記す）およびＲ（右）チャンネルの音声信号（以下、Ｒ信号と記す）を入力してミキシングし、ＬチャンネルとＷＦ（ウーハ）チャンネルとの混合信号およびＲチャンネルとＷＦチャンネルとの混合信号を生成して出力する。
【００１６】
具体的には、ミキシング部１０が備える第１の加算部１１は、ミキシング部１０に入力されるＬ信号とＲ信号とを加算してＷＦチャンネル（Ｌ＋Ｒチャンネル）の音声信号（以下、ＷＦ信号と記す）を生成する。ＷＦチャンネル用ＬＰＦ１２は、第１の加算部１１により生成されたＷＦ信号の低周波成分のみを通過させる。位相反転部１３は、ＷＦチャンネル用ＬＰＦ１２を通過したＷＦ信号の位相を反転する。
【００１７】
第２の加算部１４は、ミキシング部１０に入力されるＬ信号とＷＦチャンネル用ＬＰＦ１２を通過したＷＦ信号とを加算することにより、ＬチャンネルとＷＦチャンネルとの混合信号であるＬ＋ＷＦ信号を生成する。第３の加算部１５は、ミキシング部１０に入力されるＲ信号と位相反転部１３により位相が反転されたＷＦ信号とを加算することにより、ＲチャンネルとＷＦチャンネルとの混合信号であるＲ−ＷＦ信号を生成する（“−”の記号は位相が反転されていることを示す）。
【００１８】
Ｌチャンネル用Ｄ／Ａ変換部２は、ミキシング部１０により生成されたＬチャンネルとＷＦチャンネルとの混合信号（第２の加算部１４により生成されたＬ＋ＷＦ信号）をデジタル形式からアナログ形式の信号にＤ／Ａ変換する。Ｒチャンネル用Ｄ／Ａ変換部３は、ミキシング部１０により生成されたＲチャンネルとＷＦチャンネルとの混合信号（第３の加算部１５により生成されたＲ−ＷＦ信号）をデジタル形式からアナログ形式の信号にＤ／Ａ変換する。
【００１９】
Ｌチャンネル用パワーアンプ４は、Ｌチャンネル用Ｄ／Ａ変換部２によりＤ／Ａ変換されたＬ＋ＷＦ信号を増幅する。具体的には、Ｌチャンネル用パワーアンプ４は、ミキシング部１０の第２の加算部１４により生成されＬチャンネル用Ｄ／Ａ変換部２によりＤ／Ａ変換されたＬ＋ＷＦ信号を増幅し、正相出力端子からＬ＋ＷＦ信号を出力するとともに、逆相出力端子から−（Ｌ＋ＷＦ）信号を出力する。
【００２０】
Ｒチャンネル用パワーアンプ５は、Ｒチャンネル用Ｄ／Ａ変換部３によりＤ／Ａ変換されたＲ−ＷＦ信号を増幅する。具体的には、Ｒチャンネル用パワーアンプ５は、ミキシング部１０の第３の加算部１５により生成されＲチャンネル用Ｄ／Ａ変換部３によりＤ／Ａ変換されたＲ−ＷＦ信号を増幅し、正相出力端子からＲ−ＷＦ信号を出力するとともに、逆相出力端子から−（Ｒ−ＷＦ）信号を出力する。
【００２１】
Ｌチャンネル用スピーカ６は、Ｌチャンネル用パワーアンプ４の出力に接続されている。具体的には、Ｌチャンネル用パワーアンプ４の正相出力端子から出力されるＬ＋ＷＦ信号がＬチャンネル用スピーカ６の＋端子に入力され、Ｌチャンネル用パワーアンプ４の逆相出力端子から出力される−（Ｌ＋ＷＦ）信号がＬチャンネル用スピーカ６の−端子に入力されるように接続されている。これにより、Ｌチャンネル用スピーカ６から２Ｌ＋２ＷＦの成分を持った音声信号（２Ｌ＋２ＷＦ信号）が出力される。ここで、数字の“２”は電圧が２倍であることを示している。
【００２２】
Ｒチャンネル用スピーカ７は、Ｒチャンネル用パワーアンプ５の出力に接続されている。具体的には、Ｒチャンネル用パワーアンプ５の正相出力端子から出力されるＲ−ＷＦ信号がＲチャンネル用スピーカ７の＋端子に入力され、Ｒチャンネル用パワーアンプ５の逆相出力端子から出力される−（Ｒ−ＷＦ）信号がＲチャンネル用スピーカ７の−端子に入力されるように接続されている。これにより、Ｒチャンネル用スピーカ７から２Ｒ−２ＷＦの成分を持った音声信号（２Ｒ−２ＷＦ信号）が出力される。
【００２３】
ＷＦチャンネル用スピーカ８は、Ｌチャンネル用パワーアンプ４の出力およびＲチャンネル用パワーアンプ５の出力にＢＴＬ接続されている。具体的には、Ｌチャンネル用パワーアンプ４の正相出力端子から出力されるＬ＋ＷＦ信号がＷＦチャンネル用スピーカ８の＋端子に入力され、Ｒチャンネル用パワーアンプ５の正相出力端子から出力されるＲ−ＷＦ信号がＷＦチャンネル用スピーカ８の−端子に入力されるように接続されている。これにより、ＷＦチャンネル用スピーカ８からＬ−Ｒ＋２ＷＦの成分を持った音声信号（Ｌ−Ｒ＋２ＷＦ信号）が出力される。
【００２４】
ここで、Ｌチャンネル用スピーカ６からは２Ｌ成分以外に２ＷＦ成分の音声信号が出力され、Ｒチャンネル用スピーカ７からは２Ｒ成分以外に−２ＷＦ成分の音声信号が出力されている。しかし、Ｌチャンネル用スピーカ６とＲチャンネル用スピーカ７との間のセンター付近のリスニング位置において、２ＷＦ成分の音声信号と−２ＷＦ成分の音声信号は逆位相で打ち消される。よって、リスニング位置においてユーザは、あたかもＬチャンネル用スピーカ６から２Ｌ成分の音声信号のみが出力され、Ｒチャンネル用スピーカ７から２Ｒ成分の音声信号のみが出力されているような感覚で音声信号を聴取することができる。
【００２５】
また、ＷＦチャンネル用スピーカ８からは２ＷＦ成分以外にＬ成分の音声信号と−Ｒ成分の音声信号とが出力されている。しかし、ＷＦチャンネル用スピーカ８に出力する低周波領域の音声信号（ボーカル音やベース音など）は通常、Ｌ成分とＲ成分とが略同じ強度とされた同相の音声信号となっている。そのため、Ｌ成分の音声信号と−Ｒ成分の音声信号は、低周波領域についてはＷＦチャンネル用スピーカ８において逆位相で打ち消される。
【００２６】
図２は、本実施形態による音声出力装置の他の構成例を示す図である。なお、この図２において、図１に示した構成要素と同一の機能を有する構成要素には同一の符号を付している。
【００２７】
図２に示す音声出力装置は、ミキシング部２０、Ｌチャンネル用Ｄ／Ａ変換部２、Ｒチャンネル用Ｄ／Ａ変換部３、Ｌチャンネル用パワーアンプ４、Ｒチャンネル用パワーアンプ５、Ｌチャンネル用スピーカ６、Ｒチャンネル用スピーカ７およびＷＦチャンネル用スピーカ８を備えて構成されている。
【００２８】
ミキシング部２０は、例えばＤＳＰにより構成され、その機能構成として、第１の加算部１１、ＷＦチャンネル用ＬＰＦ１２’、位相反転部１３，２３，２４、第２の加算部１４、第３の加算部１５、Ｌチャンネル用ＨＰＦ２１、Ｒチャンネル用ＨＰＦ２２およびアンプ２５，２６を備えている。
【００２９】
ＷＦチャンネル用ＬＰＦ１２’は、第１の加算部１１により生成されたＷＦ信号の低周波成分のみを通過させる。ＷＦチャンネル用ＬＰＦ１２’は減衰機能を有しており、低周波成分のみとしたＷＦ信号を、電圧を半減して出力する（数字の“０．５”は電圧が０．５倍であることを示す）。
【００３０】
Ｌチャンネル用ＨＰＦ２１は、第２の加算部１４に入力されるＬ信号の高周波成分のみを通過させる。Ｌチャンネル用ＨＰＦ２１は減衰機能を有しており、高周波成分のみとしたＬ信号を、電圧を１／４に低減して出力する（数字の“０．２５”は電圧が０．２５倍であることを示す）。位相反転部２３は、Ｌチャンネル用ＨＰＦ２１を通過した０．２５Ｌ信号の位相を反転する。
【００３１】
Ｒチャンネル用ＨＰＦ２２は、第３の加算部１５に入力されるＲ信号の高周波成分のみを通過させる。Ｒチャンネル用ＨＰＦ２２は減衰機能を有しており、高周波成分のみとしたＲ信号を、電圧を１／４に低減して出力する（数字の“０．２５”は電圧が０．２５倍であることを示す）。位相反転部２４は、Ｒチャンネル用ＨＰＦ２２を通過した０．２５Ｒ信号の位相を反転する。
【００３２】
第２の加算部１４は、Ｌチャンネル用ＨＰＦ２１を通過した０．２５Ｌ信号とＷＦチャンネル用ＬＰＦ１２’を通過した０．５ＷＦ信号とを加算することにより、０．２５Ｌ＋０．５ＷＦ信号を生成する。第３の加算部１５は、Ｒチャンネル用ＨＰＦ２２を通過した０．２５Ｒ信号と位相反転部１３を通過した−０．５ＷＦ信号とを加算することにより、０．２５Ｒ−０．５ＷＦ信号を生成する。
【００３３】
第２の加算部１４より出力された０．２５Ｌ＋０．５ＷＦ信号は、アンプ２５の＋端子に入力される。また、位相反転部２３より出力された−０．２５Ｌ信号は、アンプ２５の−端子に入力される。アンプ２５の増幅率は、例えば“１”に設定されている。これにより、アンプ２５からは０．５Ｌ＋０．５ＷＦ信号が出力される。
【００３４】
第３の加算部１５より出力された０．２５Ｒ−０．５ＷＦ信号は、アンプ２６の＋端子に入力される。また、位相反転部２４より出力された−０．２５Ｒ信号は、アンプ２６の−端子に入力される。アンプ２６の増幅率は、例えば“１”に設定されている。これにより、アンプ２６からは０．５Ｒ−０．５ＷＦ信号が出力される。
【００３５】
Ｌチャンネル用Ｄ／Ａ変換部２は、アンプ２５より出力された０．５Ｌ＋０．５ＷＦ信号をデジタル形式からアナログ形式の信号にＤ／Ａ変換する。Ｒチャンネル用Ｄ／Ａ変換部３は、アンプ２６より出力された０．５Ｒ−０．５ＷＦ信号をデジタル形式からアナログ形式の信号にＤ／Ａ変換する。
【００３６】
Ｌチャンネル用パワーアンプ４は、Ｌチャンネル用Ｄ／Ａ変換部２によりＤ／Ａ変換された０．５Ｌ＋０．５ＷＦ信号を増幅し、正相出力端子から０．５Ｌ＋０．５ＷＦ信号を出力するとともに、逆相出力端子から−（０．５Ｌ＋０．５ＷＦ）信号を出力する。
【００３７】
Ｒチャンネル用パワーアンプ５は、Ｒチャンネル用Ｄ／Ａ変換部３によりＤ／Ａ変換された０．５Ｒ−０．５ＷＦ信号を増幅し、正相出力端子から０．５Ｒ−０．５ＷＦ信号を出力するとともに、逆相出力端子から−（０．５Ｒ−０．５ＷＦ）信号を出力する。
【００３８】
Ｌチャンネル用パワーアンプ４の正相出力端子から出力される０．５Ｌ＋０．５ＷＦ信号はＬチャンネル用スピーカ６の＋端子に入力され、Ｌチャンネル用パワーアンプ４の逆相出力端子から出力される−（０．５Ｌ＋０．５ＷＦ）信号はＬチャンネル用スピーカ６の−端子に入力される。これにより、Ｌチャンネル用スピーカ６からＬ＋ＷＦ信号が出力される。
【００３９】
Ｒチャンネル用パワーアンプ５の正相出力端子から出力される０．５Ｒ−０．５ＷＦ信号はＲチャンネル用スピーカ７の＋端子に入力され、Ｒチャンネル用パワーアンプ５の逆相出力端子から出力される−（０．５Ｒ−０．５ＷＦ）信号はＲチャンネル用スピーカ７の−端子に入力される。これにより、Ｒチャンネル用スピーカ７からＲ−ＷＦ信号が出力される。
【００４０】
Ｌチャンネル用パワーアンプ４の正相出力端子から出力される０．５Ｌ＋０．５ＷＦ信号はＷＦチャンネル用スピーカ８の＋端子に入力され、Ｒチャンネル用パワーアンプ５の正相出力端子から出力される０．５Ｒ−０．５ＷＦ信号はＷＦチャンネル用スピーカ８の−端子に入力されるようにＢＴＬ接続されている。これにより、ＷＦチャンネル用スピーカ８からは０．５Ｌ−０．５Ｒ＋ＷＦ信号が出力される。
【００４１】
ここで、Ｌチャンネル用スピーカ６から出力されるＷＦ成分の音声信号と、Ｒチャンネル用スピーカ７から出力される−ＷＦ成分の音声信号は、Ｌチャンネル用スピーカ６とＲチャンネル用スピーカ７との間のセンター付近のリスニング位置において逆位相で打ち消される。また、ＷＦチャンネル用スピーカ８から出力される０．５Ｌ成分の音声信号と−０．５Ｒ成分の音声信号は、低周波領域についてはＷＦチャンネル用スピーカ８において逆位相で打ち消される。
【００４２】
図３は、本実施形態による音声出力装置の更に別の構成例を示す図である。図３に示す例は、車両の前座席と後座席とにそれぞれスピーカが設置される場合の構成例を示すものである。なお、この図３において、図２に示した構成要素と同一の機能を有する構成要素には同一の符号を付している。また、“Ｆ”の符号は前座席用であることを示し、“Ｒ”の符号は後座席用であることを示している。
【００４３】
図３に示す音声出力装置は、ミキシング部３０、Ｌチャンネル用Ｄ／Ａ変換部２Ｆ，２Ｒ、Ｒチャンネル用Ｄ／Ａ変換部３Ｆ，３Ｒ、Ｌチャンネル用パワーアンプ４Ｆ，４Ｒ、Ｒチャンネル用パワーアンプ５Ｆ，５Ｒ、Ｌチャンネル用スピーカ６Ｆ，６Ｒ、Ｒチャンネル用スピーカ７Ｆ，７ＲおよびＷＦチャンネル用スピーカ８Ｆ，８Ｒを備えて構成されている。
【００４４】
ミキシング部３０は、例えばＤＳＰにより構成され、その機能構成として、第１の加算部１１、ＷＦチャンネル用ＬＰＦ１２’、位相反転部１３，２３Ｆ，２３Ｒ，２４Ｆ，２４Ｒ、第２の加算部１４Ｆ、第３の加算部１５Ｆ、第４の加算部１４Ｒ、第５の加算部１５Ｒ、前座席用のＬチャンネル用ＨＰＦ２１Ｆ、前座席用のＲチャンネル用ＨＰＦ２２Ｆ、後座席用のＬチャンネル用ＨＰＦ２１Ｒ、後座席用のＲチャンネル用ＨＰＦ２２Ｒおよびアンプ２５Ｆ，２５Ｒ，２６Ｆ，２６Ｒを備えている。
【００４５】
ミキシング部３０は、入力されるＬチャンネルの音声信号（Ｌ信号）から前座席用の音声信号（以下、ＦＬ信号と記す）および後座席用の音声信号（以下、ＦＲ信号と記す）を生成する（分配する）。また、ミキシング部２０は、入力されるＲチャンネルの音声信号（Ｒ信号）から前座席用の音声信号（以下、ＲＬ信号と記す）および後座席用の音声信号（以下、ＲＲ信号と記す）を生成する（分配する）。
【００４６】
前座席用のＬチャンネル用ＨＰＦ２１Ｆは、第２の加算部１４Ｆに入力されるＦＬ信号の高周波成分のみを通過させる。前座席用のＬチャンネル用ＨＰＦ２１Ｆは減衰機能を有しており、高周波成分のみとしたＦＬ信号を、電圧を１／４に低減して出力する。
【００４７】
前座席用のＲチャンネル用ＨＰＦ２２Ｆは、第３の加算部１５Ｆに入力されるＦＲ信号の高周波成分のみを通過させる。前座席用のＲチャンネル用ＨＰＦ２２Ｆは減衰機能を有しており、高周波成分のみとしたＦＲ信号を、電圧を１／４に低減して出力する。
【００４８】
後座席用のＬチャンネル用ＨＰＦ２１Ｒは、第４の加算部１４Ｒに入力されるＲＬ信号の高周波成分のみを通過させる。後座席用のＬチャンネル用ＨＰＦ２１Ｒは減衰機能を有しており、高周波成分のみとしたＲＬ信号を、電圧を１／４に低減して出力する。
【００４９】
後座席用のＲチャンネル用ＨＰＦ２２Ｒは、第５の加算部１５Ｒに入力されるＲＲ信号の高周波成分のみを通過させる。後座席用のＲチャンネル用ＨＰＦ２２Ｒは減衰機能を有しており、高周波成分のみとしたＲＲ信号を、電圧を１／４に低減して出力する。
【００５０】
位相反転部２３Ｆは、前座席用のＬチャンネル用ＨＰＦ２１Ｆを通過した０．２５ＦＬ信号の位相を反転する。位相反転部２４Ｆは、前座席用のＲチャンネル用ＨＰＦ２２Ｆを通過した０．２５ＦＲ信号の位相を反転する。位相反転部２３Ｒは、後座席用のＬチャンネル用ＨＰＦ２１Ｒを通過した０．２５ＲＬ信号の位相を反転する。位相反転部２４Ｒは、後座席用のＲチャンネル用ＨＰＦ２２Ｒを通過した０．２５ＲＲ信号の位相を反転する。
【００５１】
第２の加算部１４Ｆは、前座席用のＬチャンネル用ＨＰＦ２１Ｆを通過した０．２５ＦＬ信号とＷＦチャンネル用ＬＰＦ１２’を通過した０．５ＷＦ信号とを加算することにより、０．２５ＦＬ＋０．５ＷＦ信号を生成する。第３の加算部１５Ｆは、前座席用のＲチャンネル用ＨＰＦ２２Ｆを通過した０．２５ＦＲ信号と位相反転部１３を通過した−０．５ＷＦ信号とを加算することにより、０．２５ＦＲ−０．５ＷＦ信号を生成する。
【００５２】
第４の加算部１４Ｒは、後座席用のＬチャンネル用ＨＰＦ２１Ｒを通過した０．２５ＲＬ信号とＷＦチャンネル用ＬＰＦ１２’を通過した０．５ＷＦ信号とを加算することにより、０．２５ＲＬ＋０．５ＷＦ信号を生成する。第５の加算部１５Ｒは、後座席用のＲチャンネル用ＨＰＦ２２Ｒを通過した０．２５ＲＲ信号と位相反転部１３を通過した−０．５ＷＦ信号とを加算することにより、０．２５ＲＲ−０．５ＷＦ信号を生成する。
【００５３】
第２の加算部１４Ｆより出力された０．２５ＦＬ＋０．５ＷＦ信号は、アンプ２５Ｆの＋端子に入力される。また、位相反転部２３Ｆより出力された−０．２５ＦＬ信号は、アンプ２５Ｆの−端子に入力される。アンプ２５Ｆの増幅率は、例えば“１”に設定されている。これにより、アンプ２５Ｆからは０．５ＦＬ＋０．５ＷＦ信号が出力される。
【００５４】
第３の加算部１５Ｆより出力された０．２５ＦＲ−０．５ＷＦ信号は、アンプ２６Ｆの＋端子に入力される。また、位相反転部２４Ｆより出力された−０．２５ＦＲ信号は、アンプ２６Ｆの−端子に入力される。アンプ２６Ｆの増幅率は、例えば“１”に設定されている。これにより、アンプ２６Ｆからは０．５ＦＲ−０．５ＷＦ信号が出力される。
【００５５】
第４の加算部１４Ｒより出力された０．２５ＲＬ＋０．５ＷＦ信号は、アンプ２５Ｒの＋端子に入力される。また、位相反転部２３Ｒより出力された−０．２５ＲＬ信号は、アンプ２５Ｒの−端子に入力される。アンプ２５Ｒの増幅率は、例えば“１”に設定されている。これにより、アンプ２５Ｒからは０．５ＲＬ＋０．５ＷＦ信号が出力される。
【００５６】
第５の加算部１５Ｒより出力された０．２５ＲＲ−０．５ＷＦ信号は、アンプ２６Ｒの＋端子に入力される。また、位相反転部２４Ｒより出力された−０．２５ＲＲ信号は、アンプ２６Ｒの−端子に入力される。アンプ２６Ｒの増幅率は、例えば“１”に設定されている。これにより、アンプ２６Ｒからは０．５ＲＲ−０．５ＷＦ信号が出力される。
【００５７】
前座席用のＬチャンネル用Ｄ／Ａ変換部２Ｆは、アンプ２５Ｆより出力された０．５ＦＬ＋０．５ＷＦ信号をデジタル形式からアナログ形式の信号にＤ／Ａ変換する。前座席用のＲチャンネル用Ｄ／Ａ変換部３Ｆは、アンプ２６Ｆより出力された０．５ＦＲ−０．５ＷＦ信号をデジタル形式からアナログ形式の信号にＤ／Ａ変換する。
【００５８】
後座席用のＬチャンネル用Ｄ／Ａ変換部２Ｒは、アンプ２５Ｒより出力された０．５ＲＬ＋０．５ＷＦ信号をデジタル形式からアナログ形式の信号にＤ／Ａ変換する。後座席用のＲチャンネル用Ｄ／Ａ変換部３Ｒは、アンプ２６Ｒより出力された０．５ＲＲ−０．５ＷＦ信号をデジタル形式からアナログ形式の信号にＤ／Ａ変換する。
【００５９】
前座席用のＬチャンネル用パワーアンプ４Ｆは、前座席用のＬチャンネル用Ｄ／Ａ変換部２ＦによりＤ／Ａ変換された０．５ＦＬ＋０．５ＷＦ信号を増幅し、正相出力端子から０．５ＦＬ＋０．５ＷＦ信号を出力するとともに、逆相出力端子から−（０．５ＦＬ＋０．５ＷＦ）信号を出力する。
【００６０】
前座席用のＲチャンネル用パワーアンプ５Ｆは、前座席用のＲチャンネル用Ｄ／Ａ変換部３ＦによりＤ／Ａ変換された０．５ＦＲ−０．５ＷＦ信号を増幅し、正相出力端子から０．５ＦＲ−０．５ＷＦ信号を出力するとともに、逆相出力端子から−（０．５ＦＲ−０．５ＷＦ）信号を出力する。
【００６１】
後座席用のＬチャンネル用パワーアンプ４Ｒは、後座席用のＬチャンネル用Ｄ／Ａ変換部２ＲによりＤ／Ａ変換された０．５ＲＬ＋０．５ＷＦ信号を増幅し、正相出力端子から０．５ＲＬ＋０．５ＷＦ信号を出力するとともに、逆相出力端子から−（０．５ＲＬ＋０．５ＷＦ）信号を出力する。
【００６２】
後座席用のＲチャンネル用パワーアンプ５Ｒは、後座席用のＲチャンネル用Ｄ／Ａ変換部３ＲによりＤ／Ａ変換された０．５ＲＲ−０．５ＷＦ信号を増幅し、正相出力端子から０．５ＲＲ−０．５ＷＦ信号を出力するとともに、逆相出力端子から−（０．５ＲＲ−０．５ＷＦ）信号を出力する。
【００６３】
前座席用のＬチャンネル用パワーアンプ４Ｆの正相出力端子から出力される０．５ＦＬ＋０．５ＷＦ信号は前座席用のＬチャンネル用スピーカ６Ｆの＋端子に入力され、前座席用のＬチャンネル用パワーアンプ４Ｆの逆相出力端子から出力される−（０．５ＦＬ＋０．５ＷＦ）信号は前座席用のＬチャンネル用スピーカ６Ｆの−端子に入力される。これにより、前座席用のＬチャンネル用スピーカ６ＦからＦＬ＋ＷＦ信号が出力される。
【００６４】
前座席用のＲチャンネル用パワーアンプ５Ｆの正相出力端子から出力される０．５ＦＲ−０．５ＷＦ信号は前座席用のＲチャンネル用スピーカ７Ｆの＋端子に入力され、前座席用のＲチャンネル用パワーアンプ５Ｆの逆相出力端子から出力される−（０．５ＦＲ−０．５ＷＦ）信号は前座席用のＲチャンネル用スピーカ７Ｆの−端子に入力される。これにより、前座席用のＲチャンネル用スピーカ７ＦからＦＲ−ＷＦ信号が出力される。
【００６５】
前座席用のＬチャンネル用パワーアンプ４Ｆの正相出力端子から出力される０．５ＦＬ＋０．５ＷＦ信号は前座席用のＷＦチャンネル用スピーカ８Ｆの＋端子に入力され、前座席用のＲチャンネル用パワーアンプ５Ｆの正相出力端子から出力される０．５ＦＲ−０．５ＷＦ信号は前座席用のＷＦチャンネル用スピーカ８Ｆの−端子に入力される。これにより、前座席用のＷＦチャンネル用スピーカ８Ｆからは０．５ＦＬ−０．５ＦＲ＋ＷＦ信号が出力される。
【００６６】
ここで、前座席用のＬチャンネル用スピーカ６Ｆから出力されるＷＦ成分の音声信号と、前座席用のＲチャンネル用スピーカ７Ｆから出力される−ＷＦ成分の音声信号は、前座席用のＬチャンネル用スピーカ６Ｆと前座席用のＲチャンネル用スピーカ７Ｆとの間のセンター付近のリスニング位置において逆位相で打ち消される。また、前座席用のＷＦチャンネル用スピーカ８Ｆから出力される０．５ＦＬ成分の音声信号と−０．５ＦＲ成分の音声信号は、低周波領域については前座席用のＷＦチャンネル用スピーカ８Ｆにおいて逆位相で打ち消される。
【００６７】
後座席用のＬチャンネル用パワーアンプ４Ｒの正相出力端子から出力される０．５ＲＬ＋０．５ＷＦ信号は後座席用のＬチャンネル用スピーカ６Ｒの＋端子に入力され、後座席用のＬチャンネル用パワーアンプ４Ｒの逆相出力端子から出力される−（０．５ＲＬ＋０．５ＷＦ）信号は後座席用のＬチャンネル用スピーカ６Ｒの−端子に入力される。これにより、後座席用のＬチャンネル用スピーカ６ＲからＲＬ＋ＷＦ信号が出力される。
【００６８】
後座席用のＲチャンネル用パワーアンプ５Ｒの正相出力端子から出力される０．５ＲＲ−０．５ＷＦ信号は後座席用のＲチャンネル用スピーカ７Ｒの＋端子に入力され、後座席用のＲチャンネル用パワーアンプ５Ｒの逆相出力端子から出力される−（０．５ＲＲ−０．５ＷＦ）信号は後座席用のＲチャンネル用スピーカ７Ｒの−端子に入力される。これにより、後座席用のＲチャンネル用スピーカ７ＲからＲＲ−ＷＦ信号が出力される。
【００６９】
後座席用のＬチャンネル用パワーアンプ４Ｒの正相出力端子から出力される０．５ＲＬ＋０．５ＷＦ信号は後座席用のＷＦチャンネル用スピーカ８Ｒの＋端子に入力され、後座席用のＲチャンネル用パワーアンプ５Ｒの正相出力端子から出力される０．５ＲＲ−０．５ＷＦ信号は後座席用のＷＦチャンネル用スピーカ８Ｒの−端子に入力される。これにより、後座席用のＷＦチャンネル用スピーカ８Ｒからは０．５ＲＬ−０．５ＲＲ＋ＷＦ信号が出力される。
【００７０】
ここで、後座席用のＬチャンネル用スピーカ６Ｒから出力されるＷＦ成分の音声信号と、後座席用のＲチャンネル用スピーカ７Ｒから出力される−ＷＦ成分の音声信号は、後座席用のＬチャンネル用スピーカ６Ｒと後座席用のＲチャンネル用スピーカ７Ｒとの間のセンター付近のリスニング位置において逆位相で打ち消される。また、後座席用のＷＦチャンネル用スピーカ８Ｒから出力される０．５ＲＬ成分の音声信号と−０．５ＲＲ成分の音声信号は、低周波領域については後座席用のＷＦチャンネル用スピーカ８Ｒにおいて逆位相で打ち消される。
【００７１】
以上のように構成した本実施形態の音声出力装置によれば、パワーアンプ２，３（２Ｆ，３Ｆ，２Ｒ，３Ｒ）よりも前段に設けられたミキシング部１０，２０，３０によってＷＦチャンネルの音声信号が生成される。そのため、パワーアンプ２，３（２Ｆ，３Ｆ，２Ｒ，３Ｒ）の後段に必要であったパッシブ型のローパスフィルタをなくすことができる。
【００７２】
パッシブ型のローパスフィルタの代わりにミキシング部１０，２０，３０が設けられる形となるが、パワーアンプ２，３（２Ｆ，３Ｆ，２Ｒ，３Ｒ）によって増幅された後のアナログ音声信号を処理するために受動素子により構成した従来のパッシブ型のローパスフィルタに比べて、ミキシング部１０，２０，３０はＤＳＰにより低コストで構成することができる。
【００７３】
また、本実施形態の音声出力装置によれば、ミキシング部１０，２０，３０の第１の加算部１１で生成されたＷＦチャンネルの音声信号がＬチャンネルの音声信号およびＲチャンネルの音声信号とそれぞれ混合される。そして、それらの混合信号がパワーアンプ２，３（２Ｆ，３Ｆ，２Ｒ，３Ｒ）で増幅された後、パワーアンプ２，３（２Ｆ，３Ｆ，２Ｒ，３Ｒ）の出力とＷＦチャンネル用スピーカ８（８Ｆ，８Ｒ）とのＢＴＬ接続によってウーハ用の音声信号が生成される。
【００７４】
そのため、パワーアンプ２，３（２Ｆ，３Ｆ，２Ｒ，３Ｒ）よりも前段側におけるミキシング部１０，２０，３０でＷＦチャンネルの音声信号が生成されていても、ＷＦチャンネル専用のパワーアンプを設ける必要がない。つまり、図１および図２の例では、２つのパワーアンプ２，３のみで、ＬチャンネルおよびＲチャンネルの音声信号に加えてＷＦチャンネルの音声信号もドライブすることができる。
【００７５】
また、図３の例では、４つのパワーアンプ２Ｆ，３Ｆ，２Ｒ，３Ｒのみで、前座席用、後座席用のＬチャンネルおよびＲチャンネルの音声信号に加えて、前座席用、後座席用のＷＦチャンネルの音声信号もドライブすることができる。しかも、図３の例の場合は、いわゆるＦＡＤＥＲ機能（ＨＰＦ２１Ｆ，２２Ｆ，１Ｒ，２２Ｒの前段にアンプを設けて増幅率を調整する機能）によって前座席用または後座席用の何れかの音声信号のみを出力するケースにおいても、ＷＦチャンネル用スピーカ８Ｆまたは８Ｒから安定してＷＦチャンネルの音声信号を出力することができる。
【００７６】
以上により、本実施形態の音声出力装置によれば、ＢＴＬ接続を用いた音声出力装置において、ウーハ用の音声信号を生成するのにパッシブ型のＬＰＦを不要とすることによって製造コストを低減することができる。
【００７７】
なお、上記実施形態では、音声信号の電圧（振幅）を調整するために、図２の例ではアンプ２５，２６および位相反転部２３，２４を設けたが、振幅の調整は本発明の要旨ではなく、必ずしも必須の構成ではない。すなわち、図１のようにアンプ２５，２６および位相反転部２３，２４を省略して音声出力装置を構成してもよい。同様に、前座席用および後座席用にスピーカを備えた図３の例においても、アンプ２５Ｆ，２５Ｒ，２６Ｆ，２６Ｒおよび位相反転部２３Ｆ，２３Ｒ，２４Ｆ，２４Ｒを省略して音声出力装置を構成してもよい。つまり、特許請求の範囲では振幅を表す係数を示していないが、これは振幅が１倍の場合に限定する趣旨ではなく、振幅は特に限定しないという趣旨である。
【００７８】
また、上記実施形態では、Ｌチャンネルの音声信号とＲチャンネルの音声信号について高周波成分のみを通過させるために、図２の例ではＨＰＦ２１，２２を設けている。しかし、これらも必須の構成ではない。すなわち、図１のようにＨＰＦ２１，２２を省略して音声出力装置を構成してもよい。ただし、ＨＰＦ２１，２２を設けると、Ｌチャンネル用スピーカ６およびＲチャンネル用スピーカ７から低周波成分が出力されなくなり、ＷＦチャンネル用スピーカ８から出力される低周波成分と重複がなくなるという点で好ましい。図３の例においても同様に、ＨＰＦ２１Ｆ，２１Ｒ，２２Ｆ，２２Ｒを省略してもよい。
【００７９】
また、上記実施形態では、ミキシング部１０，２０，３０をＤＳＰにより構成する例について説明したが、本発明はこれに限定されない。例えば、オペアンプなどを用いたアナログ回路によりミキシング部１０，２０，３０を構成してもよい。ただし、ミキシング部１０，２０，３０をＤＳＰにより構成した方が、製造コストをより安くできるという点で好ましい。
【００８０】
また、上記実施形態では、Ｌチャンネルの音声信号とＷＦチャンネルの音声信号とを加算することによりＬ＋ＷＦ信号を生成する一方、Ｒチャンネルの音声信号と位相が反転されたＷＦチャンネルの音声信号とを加算することによりＲ−ＷＦ信号を生成する例について説明したが、本発明はこれに限定されない。
【００８１】
例えば、図１の構成を変形させた図４のように、第２の加算部１４においてＬチャンネルの音声信号と位相が反転されたＷＦチャンネルの音声信号とを加算することによりＬ−ＷＦ信号を生成する一方、第３の加算部１５においてＲチャンネルの音声信号とＷＦチャンネルの音声信号とを加算することによりＲ＋ＷＦ信号を生成するようにしてもよい。
【００８２】
この場合、Ｌチャンネル用パワーアンプ４は、第２の加算部１４により生成されたＬ−ＷＦ信号を増幅し、正相出力端子からＬ−ＷＦ信号を出力するとともに、逆相出力端子から−（Ｌ−ＷＦ）信号を出力する。また、Ｒチャンネル用パワーアンプ５は、第３の加算部１５により生成されたＲ＋ＷＦ信号を増幅し、正相出力端子からＲ＋ＷＦ信号を出力するとともに、逆相出力端子から−（Ｒ＋ＷＦ）信号を出力する。
【００８３】
そして、Ｌチャンネル用パワーアンプ４の正相出力端子および逆相出力端子のそれぞれから出力されるＬ−ＷＦ信号および−（Ｌ−ＷＦ）信号をそれぞれＬチャンネル用スピーカ６の＋端子および−端子に入力する。また、Ｒチャンネル用パワーアンプ５の正相出力端子および逆相出力端子のそれぞれから出力されるＲ＋ＷＦ信号および−（Ｒ＋ＷＦ）信号をそれぞれＲチャンネル用スピーカ７の＋端子および−端子に入力する。
【００８４】
さらに、Ｌチャンネル用パワーアンプ４の正相出力端子から出力されるＬ−ＷＦ信号をＷＦチャンネル用スピーカ８の−端子に入力し、Ｒチャンネル用パワーアンプ５の正相出力端子から出力されるＲ＋ＷＦ信号をＷＦチャンネル用スピーカ８の＋端子に入力するように構成する。
【００８５】
また、図２の構成を変形させた図５のように、第２の加算部１４においてＬチャンネルの音声信号と位相が反転されたＷＦチャンネルの音声信号とを加算することにより０．２５Ｌ−０．５ＷＦ信号を生成する一方、第３の加算部１５においてＲチャンネルの音声信号とＷＦチャンネルの音声信号とを加算することにより０．２５Ｒ＋０．５ＷＦ信号を生成するようにしてもよい。
【００８６】
さらに、図３の構成を変形させた図６のように、第２の加算部１４Ｆにおいて前座席用のＬチャンネルの音声信号と位相が反転されたＷＦチャンネルの音声信号とを加算することにより０．２５ＦＬ−０．５ＷＦ信号を生成する一方、第３の加算部１５Ｆにおいて前座席用のＲチャンネルの音声信号とＷＦチャンネルの音声信号とを加算することにより０．２５ＦＲ＋０．５ＷＦ信号を生成するようにしてもよい。
【００８７】
同様に、第４の加算部１４Ｒにおいて後座席用のＬチャンネルの音声信号と位相が反転されたＷＦチャンネルの音声信号とを加算することにより０．２５ＲＬ−０．５ＷＦ信号を生成する一方、第５の加算部１５Ｒにおいて後座席用のＲチャンネルの音声信号とＷＦチャンネルの音声信号とを加算することにより０．２５ＲＲ＋０．５ＷＦ信号を生成するようにしてもよい。
【００８８】
この場合、前座席用のＬチャンネル用パワーアンプ４Ｆは、アンプ２５Ｆにより生成された０．５ＦＬ−０．５ＷＦ信号を増幅し、前座席用のＲチャンネル用パワーアンプ５Ｆは、アンプ２６Ｆにより生成された０．５ＦＲ＋０．５ＷＦ信号を増幅する。また、後座席用のＬチャンネル用パワーアンプ４Ｒは、アンプ２５Ｒにより生成された０．５ＲＬ−０．５ＷＦ信号を増幅し、後座席用のＲチャンネル用パワーアンプ５Ｒは、アンプ２６Ｒにより生成された０．５ＲＲ＋０．５ＷＦ信号を増幅する。
【００８９】
そして、前座席用のＬチャンネル用パワーアンプ４Ｆの正相出力端子から出力される０．５ＦＬ−０．５ＷＦ信号を前座席用のＷＦチャンネル用スピーカ８Ｆの−端子に入力し、前座席用のＲチャンネル用パワーアンプ５Ｆの正相出力端子から出力される０．５ＦＲ＋０．５ＷＦ信号を前座席用のＷＦチャンネル用スピーカ８Ｆの＋端子に入力するように構成する。
【００９０】
また、後座席用のＬチャンネル用パワーアンプ４Ｒの正相出力端子から出力される０．５ＲＬ−０．５ＷＦ信号を後座席用のＷＦチャンネル用スピーカ８Ｒの−端子に入力し、後座席用のＲチャンネル用パワーアンプ５Ｒンプの正相出力端子から出力される０．５ＲＲ＋０．５ＷＦ信号を後座席用のＷＦチャンネル用スピーカ８Ｒの＋端子に入力するように構成する。
【００９１】
また、上記実施形態では、２つのパワーアンプの正相出力端子どうしをＷＦチャンネル用スピーカにＢＴＬ接続する例について説明したが、本発明はこれに限定されない。例えば、２つのパワーアンプの逆相出力端子どうしをＷＦチャンネル用スピーカにＢＴＬ接続するようにしてもよい。この場合、上記実施形態においてＷＦチャンネル用スピーカの＋端子に接続していた部分は−端子への接続に変更し、−端子に接続していた部分は＋端子への接続に変更する。
【００９２】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００９３】
４，４Ｆ，４Ｒ  Ｌチャンネル用パワーアンプ
５，５Ｆ，５Ｒ  Ｒチャンネル用パワーアンプ
６，６Ｆ，６Ｒ  Ｌチャンネル用スピーカ
７，７Ｆ，７Ｒ  Ｒチャンネル用スピーカ
８，８Ｆ，８Ｒ  ＷＦチャンネル用スピーカ
１０，２０，３０  ミキシング部
１１  第１の加算部
１２，１２’  ＷＦチャンネル用ＬＰＦ
１３  位相反転部
１４，１４Ｆ  第２の加算部
１５，１５Ｆ  第３の加算部
１４Ｒ  第４の加算部
１５Ｒ  第５の加算部
２１，２１Ｆ，２１Ｒ  Ｌチャンネル用ＨＰＦ
２２，２２Ｆ，２２Ｒ  Ｒチャンネル用ＨＰＦ
【図１】
0005666249.tif 000002
【図２】
0005666249.tif 000003
【図３】
0005666249.tif 000004
【図４】
0005666249.tif 000005
【図５】
0005666249.tif 000006
【図６】
0005666249.tif 000007
【図７】
0005666249.tif 000008